(57)【要約】【課題】  パレットラックの各棚段に載置されるパレットの落下の防止と、パレットに置かれた荷物の重みによるパレットラックの転倒の防止を同時に実現する落下転倒防止システムを提供する。【解決手段】  パレットラック５０は、複数の支柱５１と複数の支柱５１間に架け渡される複数の棚段５３とから構成され、この複数の棚段５３の上には荷役台としてのパレット３２が載置されており、このパレット３２の上には例えば段ボール等の荷物３４が積み重ねられて置かれている。本発明の落下転倒防止システム１０は、棚段５３のパレット３２を載置する側の面に設けられる荷役台滑り止め部１２と、パレット３２の荷物３４を置く側の面に配置される滑りプレート１４と、を概略具備して構成されている。【選択図】図１
2015016985.tif 000002
【特許請求の範囲】
【請求項１】
複数の支柱と該複数の支柱間に架け渡される複数の棚段とからなる収納棚の転倒防止と、該複数の棚段に載置された荷役台の落下防止と、を実現する落下転倒防止システムであって、
前記棚段の前記荷役台を載置する側の面に設けられる荷役台滑り止め部と、
前記荷役台の荷物を置く側の面に配置される滑りプレートと、
を具備することを特徴とする落下転倒防止システム。
【請求項２】
前記収納棚の支柱の脚部に設けられる脚滑り部を更に具備することを特徴とする請求項１に記載の落下転倒防止システム。
【請求項３】
さらに、前記荷役台に積み重ねて置く荷物の間に荷物間滑りプレートと、前記積み重ねて置く荷物に巻き付けられる荷崩れ防止部と、の何れか一方または両方を具備することを特徴とする請求項１または請求項２に記載の落下転倒防止システム。
【請求項４】
複数の前記収納棚を連結する連結部を具備することを特徴とする請求項１乃至請求項３の何れか１項に記載の落下転倒防止システム。
【発明の詳細な説明】
【技術分野】
【０００１】  本発明は、地震等により工場の倉庫等に設置されたパレットラック等が振動しても、パレットラックの各棚段に載置される荷物が置かれたパレットの落下や飛び出しを防止すると共に、パレットラック自身の転倒を防止する落下転倒防止システムに関する。
【背景技術】
【０００２】  従来、地震や意図しない何らかの物品の衝突等における振動、揺れ及び傾きでパレットラック等の収納棚の複数の棚段に載置された物品の落下や飛び出しを防止する装置が種々提案されている。【０００３】  たとえば、特許文献１に開示される耐震マットでは、マット本体の表裏いずれか一方の面側に、対象物との接触面積を減ずる凹所を形成し、当該凹所を形成してある面側が上方を向くようにしてマット本体を棚板（棚段）などに貼着させ、マット本体の上面に対象物を粘着させるようにしている。【０００４】  また、特許文献２に開示される物品棚用の物品落下防止装置では、物品棚における物品出し入れ用開口の前方に配置され、該物品棚の間口方向へスライド変移可能な第１の可動柵体及び第２の可動柵体を備え、前記第１の可動柵体及び前記第２の可動柵体は、それぞれ、左右一対の縦フレームと、前記左右一対の縦フレーム間に横設された複数の柵用バーとを備え、前記第１の可動柵体の前記第２の可動柵体側の縦フレームは、前記第２の可動柵体の前記一対の縦フレームの間に配置され、前記第１の可動柵体の前記柵用バーと前記第２の可動柵体の前記柵用バーは、異なる高さ位置に配置されている。
【先行技術文献】
【特許文献】
【０００５】
【特許文献１】  特開２０１３−５７９号公報
【特許文献２】  特開２０１１−１３１９７３号公報
【発明の概要】
【発明が解決しようとする課題】
【０００６】  しかしながら、特許文献１の耐震マットや特許文献２の物品棚用の物品落下防止装置などによって、パレットラックの各棚板（棚段）に載置されるパレットの落下が防止されると、パレットに置かれた荷物の重みによりパレットラックが転倒してしまうという課題があった。
【課題を解決するための手段】
【０００７】  この発明の目的は、上述した事情に鑑みなされたもので、この発明の主たる目的は、パレットラックの各棚段に載置されるパレットの落下の防止と、パレットに置かれた荷物の重みによるパレットラックの転倒の防止を同時に実現する落下転倒防止システムを提供することである。【０００８】  上述した課題を解決し、目的を達成するため、この発明に係わる落下転倒防止システムは、請求項１の記載によれば、複数の支柱と該複数の支柱間に架け渡される複数の棚段とからなる収納棚の転倒防止と、該複数の棚段に載置された荷役台の落下防止と、を実現する落下転倒防止システムであって、前記棚段の前記荷役台を載置する側の面に設けられる荷役台滑り止め部と、前記荷役台の荷物を置く側の面に配置される滑りプレートと、を具備することを特徴とする。【０００９】  さらに、この発明に係わる落下転倒防止システムは、請求項２の記載によれば、前記収納棚の支柱の脚部に設けられる脚滑り部を更に具備することを特徴とする。【００１０】  さらに、この発明に係わる落下転倒防止システムは、請求項３の記載によれば、さらに、前記荷役台に積み重ねて置く荷物の間に荷物間滑りプレートと、前記積み重ねて置く荷物に巻き付けられる荷崩れ防止部と、の何れか一方または両方を具備することを特徴とする。【００１１】  さらに、この発明に係わる落下転倒防止システムは、請求項４の記載によれば、複数の前記収納棚を連結する連結部を具備することを特徴とする。
【発明の効果】
【００１２】  この発明によれば、パレットラックの各棚段に載置されるパレットの落下の防止と、パレットに置かれた荷物の重みによるパレットラックの転倒の防止を同時に実現する落下転倒防止システムを提供することができる。
【図面の簡単な説明】
【００１３】
【図１】  本発明の落下転倒防止システムを説明する図
【発明を実施するための形態】
【実施例】
【００１４】  以下に図面を用いて本発明の実施例を説明する。なお、この実施例において、収納棚として工場の倉庫等に設置されたパレットラックを例示しているが、これに限定される物ではなく、収納棚の複数の棚段に荷物を置く際にパレットのような荷役台を利用する収納棚であれば、本発明の落下転倒防止システムが適用可能である。【００１５】  図１を用いて、本発明の落下転倒防止システム１０を説明する。図１は、２台の収納棚としてのパレットラック５０を図示しており、右側が本発明の落下転倒防止システム１０を設置していないパレットラック５０で、左側が落下転倒防止システム１０を設置しているパレットラック５０となっている。【００１６】  パレットラック５０は、複数の支柱５１と複数の支柱５１間に架け渡される複数の棚段５３とから構成されている。なお、棚段５３は、２本の支柱５１の間に架け渡されるパレット用ビームと、該２本の支柱に向かい合わせとなる他の２本の支柱５１の間に架け渡される他のパレット用ビームと、向かい合うパレット用ビームと他のパレット用ビームとに架け渡される複数のデッキチャンネルで構成されている。【００１７】  このような複数の棚段５３の上には荷役台としてのパレット３２が載置されており、このパレット３２の上には例えば段ボール等の荷物３４が積み重ねられて置かれている。【００１８】  本発明の落下転倒防止システム１０は、図１の左側のパレットラック５０に取り付けられており、具体的には、棚段５３のパレット３２を載置する側の面に設けられる荷役台滑り止め部１２と、パレット３２の荷物３４を置く側の面に配置される滑りプレート１４と、を概略具備して構成されている。【００１９】  棚段５３は、上述の通り、２本のパレット用ビームとこの２本のパレット用ビームに架け渡される複数のデッキチャンネルからの構成、即ち、パレット用ビームとデッキチャンネルの枠組みしかなく、棚段５３にはパレット３２を平面で支える棚板がない。このように、棚段５３上のパレット３２は、地震等の震動、揺れや傾きで棚段５３上から簡単に落下してしまうため、確実に移動を防止しなければならない。【００２０】  荷役台滑り止め部１２は、図１に示すとおり、棚段５３の向かい合う２本のパレット用ビームにパレット３２の１枚に対して（図１では図示されない箇所を含めて）６カ所取り付けられており、天然ゴム、合成ゴムまたは各種樹脂やその他の摩擦係数の比較的大きな材料を使用している。【００２１】  荷役台滑り止め部１２の形状は例えば断面Ｌ型形状で、パレット用ビームの側面と上面に当接してネジ止め等で固着されている。なお、図１と上記説明ではパレット３２の１枚に対して６カ所取り付けると説明したが、断面Ｌ型に垂直な方向の長さを長くして、３カ所の荷役台滑り止め部１２を１カ所としてももちろん良い。【００２２】  このように、荷役台滑り止め部１２は地震等の震動による棚段５３上のパレット３２の移動を防止するが、この結果、パレット３２に置かれた荷物３４の重量がパレット３２を介して棚段５３及びパレットラック５０にそのまま伝わってしまい、パレットラック５０自身が転倒してしまう虞がある。【００２３】  このような地震等の震動によるパレットラック５���全体の転倒を防止するために、本発明の落下転倒防止システム１０は、図１に示すとおり、パレット３２の荷物３４を置く側の面に滑りプレート１４が配置されている。【００２４】  この滑りプレート１４は、地震のような急激な震動、即ち衝撃力により荷物３４をパレット３２上で滑り移動することを許容する。この結果、荷物３４の重量が直接パレットラック５０に伝わらなくなり、パレット３２に置かれた荷物３４の重量によるパレットラック５０の転倒を防止することが可能となる。【００２５】  また、本発明の落下転倒防止システム１０は、パレット３２に積み重ねて置く荷物３４の間に荷物間滑りプレート１５を用いて、地震の衝撃力により積み重ねた荷物３４同士の滑り移動を許容することが可能であり、滑りプレート１４と同様にパレット３２に置かれた荷物３４の重量によるパレットラック５０の転倒を防止することが可能となる。【００２６】  このような滑りプレート１４や荷物間滑りプレート１５は、摩擦係数の比較的小さなフッ素系樹脂やその他の樹脂、または紙や段ボール等を材質とする板状部材となっている。【００２７】  また、滑りプレート１４による荷物３４のパレット３２上での滑り移動を効率的かつ確実に行うことや、荷物３４の荷崩れ防止のために、積み重ねて置かれた荷物３４に巻き付けられる荷崩れ防止部１８を用いることも可能である。【００２８】  この荷崩れ防止部１８は、例えばネット部材やポリエチレン製のストレッチフィルム（梱包用フィルム）等を用いることが可能である。【００２９】  なお、この荷物間滑りプレート１５と荷崩れ防止部１８とのいずれを用いるかは、パレットラック５０やパレット３２、またはパレット３２に置かれた荷物３４の状況や形状等にあわせて、その何れか一方または両方を用いる等、選択することが可能となっている。【００３０】  さらに、本発明の落下転倒防止システム１０は、パレットラック５０の複数の支柱５１が設置面４０に載置される支柱５１の脚部に、脚滑り部１６を設けることが可能となっている。【００３１】  この脚滑り部１６は、例えば金属製で、一方が閉鎖され他方が解放された筒状部材（いわゆるブーツ状部材）となっており、内部に支柱５１の脚部が収納される閉鎖された一方の、支柱５１の脚部の側と反対の面が床面４０に設置されている。【００３２】  また、この脚滑り部１６の床面４０に設置される面の周囲は面取りがされており、脚滑り部１６が床面４０上で滑った際に引っ掛かり等がないように加工されている。【００３３】  このような脚滑り部１６は、滑りプレート１４や荷物間滑りプレート１５と同様に、地震の衝撃力により床面４０上を滑ることが可能となっており、パレット３２に置かれた荷物３４の重量によるパレットラック５０の転倒を防止することに効果がある。【００３４】  なお、この脚滑り部１６を例えば皿状の金属板として、その上に支柱５１の脚部を載置することで脚部が滑るようにしても良い。【００３５】  さらにまた、本発明の落下転倒防止システム１０は、複数のパレットラック５０を連結する連結部１９を用いることで、複数のパレットラック５０が更に転倒し難くすることが可能となっている。なお、この連結部１９は、いわゆるひも状部材やフィ���ム状部材等、２本の支柱を連結することが可能な材質・形状であればどのようなものを使用してもよい。【００３６】  以上のように、本発明の落下転倒防止システム１０は、パレットラック５０の各棚段５３に載置されるパレット３２の落下の防止と、パレット３２に置かれた荷物３４の重みによるパレットラック５０の転倒の防止を同時に実現することが可能である。【００３７】  また、本発明の落下転倒防止システム１０は、特許文献２に開示の物品棚用の物品落下防止装置等の通常の装置では落下防止することができない、支柱のない最上段の棚段にも設置可能となっている。【００３８】  さらに、本発明の落下転倒防止システム１０は、取り付けが容易で導入コストや保守コストも安価で済むうえに、パレットラックに装置を取り付ける大がかりな工事も必要ないという効果を有する。【００３９】  またさらに、本発明の落下転倒防止システム１０は、荷物の落下防止のための落下防止機能を有効にする作業や、荷物を取り出すための落下防止機能を無効にする作業が必要なく、倉庫内での荷物の出し入れ作業の能率が下がることがないという効果を有する。
【符号の説明】
【００４０】１０・・落下転倒防止システム、１２・・荷役台滑り止め部、１４・・滑りプレート、１５・・荷物間滑りプレート、１６・・脚滑り部、１８・・荷崩れ防止部、１９・・連結部、３２・・パレット、３４・・荷物、４０・・設置面、５０・・パレットラック、５１・・支柱、５３・・棚段
【図１】
2015016985.tif 000003